(57)【要約】【課題】装置を起動する起動タイミングを取り消しても確実に所定の時点から前に設定した起動タイミングで起動を再開することが可能な時刻起動管理装置、特定時刻起動方法および起動プログラムを得ること。【解決手段】起動タイミング設定手段１１で特定の装置を起動するタイミングを設定すると、起動タイミング記憶手段１２でこれを記憶しておく。起動タイミング再設定手段１５は、起動無効手段１４で無効にした起動タイミングを起動タイミング記憶手段１２から読み出して再設定する。【選択図】図１
2011122925.tif 000002
【特許請求の範囲】
【請求項１】
特定の装置を起動させる起動タイミングを設定する起動タイミング設定手段と、
この起動タイミング設定手段で設定した起動タイミングを記憶する起動タイミング記憶手段と、
前記起動タイミング設定手段で設定した起動タイミングが到来したとき前記特定の装置を起動させる装置起動手段と、
前記起動タイミング設定手段で設定した起動タイミングを無効とする起動無効手段と、
この起動無効手段で無効にした起動タイミングを前記起動タイミング記憶手段から読み出して再設定する起動タイミング再設定手段
とを具備することを特徴とする時刻起動管理装置。
【請求項２】
前記起動タイミング設定手段は、起動タイミングを曜日と時間で設定可能であることを特徴とする請求項１記載の時刻起動管理装置。
【請求項３】
前記特定の装置は、起動タイミングの到来によってアラームを出力する装置であることを特徴とする請求項１記載の時刻起動管理装置。
【請求項４】
前記起動タイミング再設定手段は、起動タイミングを再設定する再設定のタイミングを設定する再設定タイミング設定手段を具備することを特徴とする請求項１記載の時刻起動管理装置。
【請求項５】
特定の装置を起動させる起動タイミングを設定する起動タイミング設定ステップと、
この起動タイミング設定ステップで設定した起動タイミングを所定の記憶媒体に記憶する起動タイミング記憶ステップと、
前記起動タイミング設定ステップで設定した起動タイミングが到来したとき前記特定の装置を起動させる装置起動ステップと、
前記起動タイミング設定ステップで設定した起動タイミングを無効とする起動無効ステップと、
この起動無効ステップで無効にした起動タイミングを前記記憶媒体から読み出して再設定する起動タイミング再設定ステップ
とを具備することを特徴とする特定時刻起動方法。
【請求項６】
コンピュータに、
特定の装置を起動させる起動タイミングを設定する起動タイミング設定処理と、
この起動タイミング設定処理で設定した起動タイミングを所定の記憶媒体に記憶する起動タイミング記憶処理と、
前記起動タイミング設定処理で設定した起動タイミングが到来したとき前記特定の装置を起動させる装置起動処理と、
前記起動タイミング設定処理で設定した起動タイミングを無効とする起動無効処理と、
この起動無効処理で無効にした起動タイミングを前記記憶媒体から読み出して再設定する起動タイミング再設定処理
とを実行させることを特徴とする特定時刻起動プログラム。
【発明の詳細な説明】
【技術分野】
【０００１】
本発明は、携帯電話機等の情報処理装置に組み込まれてアラームを特定時刻に起動させるような時刻起動管理装置、特定時刻起動方法および特定時刻起動プログラムに関する。
【背景技術】
【０００２】
時刻起動管理装置は、たとえば指定した日時にアラームを出力したり、録画を開始したり炊飯器の電源を投入するといった時刻の起動管理を行う装置である。この時刻起動管理装置の代表的なものが起床等の時間管理に使用するアラーム時計あるいはアラーム時計機能を備えた装置である。
【０００３】
アラーム時計機能を備えた時刻起動管理装置でアラームには、特定の周波数の音やラジオの音、メロディ、発光、振動と行った各種の報知手法を選択することができる。また、時刻起動管理装置は、機械式の目覚まし時計のような装置から、携帯電話機やＰＨＳ（Personal Handyphone System）、ＰＤＡ（Personal Digital Assistant）、パーソナルコンピュータ等の情報処理装置にソフトウェアとして組み込まれたものまで多種多様なものが存在している。
【０００４】
アラーム時計機能を備えた時刻起動管理装置のうち最も単純な装置では、アラームを出力する日時をそのたびにセットするようになっている。たとえば、ユーザが就寝前に次の日の朝８時に起床するために時刻起動管理装置をセットするとする。次の日の朝８時に目覚まし時計が鳴動して、ユーザが鳴動を停止させる操作を行うと、アラーム機能はリセットされ無効となる。したがって、ユーザは更に次の日の朝にアラームを作動させたいときには、リセットしたアラーム機能を再びセットする必要がある。
【０００５】
アラームが作動しているときにこのアラーム動作を停止する操作を行っても、アラーム機能自体はリセットされず、次の日のアラーム設定時刻になると再びアラームが作動するといった時刻起動管理装置も存在する。これは、たとえば毎朝寝坊しないで出勤するために、決まった時刻になるとアラームが出力されるといった用途に使用されており、ユーザが目覚まし時計のセットを忘れた場合にもアラームが作動するという利点がある。
【０００６】
更に、毎日定まった時刻にアラームを出力するという機能を進化させたものとして、土日のような１週間の特定日を除いてアラームをアラーム設定時刻に出力するという時刻起動管理装置も存在している。この１週間というカレンダ機能を保持した時刻起動管理装置は、平日となる曜日に時刻起動管理装置による起床が必要とされるユーザに便利である。このような進化した機能がないと、ユーザは休日も平日と同一のアラーム設定時刻に起こされることになる。また、このような事態を避けるために休日の前日にアラーム機能を解除すると、平日の前日に再びセットするのを忘れた場合に、アラームが作動せず、寝過ごしてしまうおそれがある。
【０００７】
ところで、１週間というカレンダ機能を保持した時刻起動管理装置を使用したとしても、平日に休暇を取ったような場合には、その前日の就寝までにアラームを解除しなければ、通常の平日と同様の時刻にアラームが作動してしまう。そこで、アラームを解除して就寝することになるが、次の平日の就寝前までにアラームを再設定しておかないと、アラームが無効になった状態のままとなり以後はアラームが作動しなくなる。
【０００８】
このような問題を解消するために、翌日のアラームの作動を禁止するスイッチとアラームの設定を解除するスイッチを別にすることが、本発明の第１の関連技術として提案されている（たとえば、特許文献１参照）。この第１の関連技術によれば、アラームを作動させる必要のない日の前日の就寝までに翌日のアラームの作動を禁止するスイッチを押す。すると、翌日はアラームが作動しない。翌日のアラームの作動を禁止するスイッチは、作動させた「翌日」のみ有効なので、翌々日の平日にはアラームが作動することになる。また、ユーザはアラームの解除を行う場合には、アラームの設定を解除するスイッチの方を操作することになる。
【０００９】
ところで、第１の関連技術では、翌日のアラームの作動を禁止することしかできない。したがって、ユーザが数日間連続して休暇を取ったような場合には、その日数分の日付だけ、翌日のアラームの作動を禁止するスイッチを毎日操作する必要がある。
【００１０】
この問題を解消するために、本発明の第２の関連技術としてアラームの出力を禁止する日数を指定することのできる時刻起動管理装置が提案されている（たとえば、特許文献２参照）。この第２の関連技術では、アラームの出力を禁止する日数をカウンタにセットして、これが日数の経過によって減算してカウント値がゼロになった時点でアラームが作動する状態になる。
【先行技術文献】
【特許文献】
【００１１】
【特許文献１】特開２００２−３６５３８６号公報（第０００４段落、第０００６段落、図１）
【特許文献２】実開昭５７−１８８１９１号公報（第２ページ第２０行目〜第３ページ第１３行目、第１図）
【発明の概要】
【発明が解決しようとする課題】
【００１２】
ところが、第２の関連技術によれば、アラームを作動させない日数分だけカウンタを予めセットする。したがって、この設定を誤るとアラームが作動する開始日が違ってしまうという問題が発生する。特に時刻起動管理装置の機能が高度化してくると、土日を休日に含めるかとか、国民の祝日を休日に自動設定するか等の各種設定を行うことができるようになる。これに伴って、アラームの作動が適性に開始するためのカウンタのカウント値がユーザの認識によって異なってくる可能性がある。この結果、ユーザがカウント値の設定を間違ってしまう場合が生じ、アラームが正しく作動しないおそれが生じる。また、カウント値の設定数についてユーザが不安を抱くことは、快適な睡眠を妨げる大きな要因となる。
【００１３】
以上、起床等の時刻を知らせるアラーム機能を有する時刻起動管理装置を例にとって従来の問題を説明したが、録画や炊飯器等の他の時刻起動管理装置についても起動開始について同様の問題があった。
【００１４】
そこで本発明の目的は、装置を起動する起動タイミングを取り消しても確実に所定の時点から前に設定した起動タイミングで起動を再開することが可能な時刻起動管理装置、特定時刻起動方法および特定時刻起動プログラムを提供することにある。
【課題を解決するための手段】
【００１５】
本発明では、（イ）特定の装置を起動させる起動タイミングを設定する起動タイミング設定手段と、（ロ）この起動タイミング設定手段で設定した起動タイミングを記憶する起動タイミング記憶手段と、（ハ）前記した起動タイミング設定手段で設定した起動タイミングが到来したとき前記した特定の装置を起動させる装置起動手段と、（ニ）前記した起動タイミング設定手段で設定した起動タイミングを無効とする起動無効手段と、（ホ）この起動無効手段で無効にした起動タイミングを前記した起動タイミング記憶手段から読み出して再設定する起動タイミング再設定手段とを時刻起動管理装置が具備する。
【００１６】
また、本発明では、（イ）特定の装置を起動させる起動タイミングを設定する起動タイミング設定ステップと、（ロ）この起動タイミング設定ステップで設定した起動タイミングを所定の記憶媒体に記憶する起動タイミング記憶ステップと、（ハ）前記した起動タイミング設定ステップで設定した起動タイミングが到来したとき前記した特定の装置を起動させる装置起動ステップと、（ニ）前記した起動タイミング設定ステップで設定した起動タイミングを無効とする起動無効ステップと、（ホ）この起動無効ステップで無効にした起動タイミングを前記した記憶媒体から読み出して再設定する起動タイミング再設定ステップとを特定時刻起動方法が具備する。
【００１７】
更に本発明では、コンピュータに、特定時刻起動プログラムとして、（イ）特定の装置を起動させる起動タイミングを設定する起動タイミング設定処理と、（ロ）この起動タイミング設定処理で設定した起動タイミングを所定の記憶媒体に記憶する起動タイミング記憶処理と、（ハ）前記した起動タイミング設定処理で設定した起動タイミングが到来したとき前記した特定の装置を起動させる装置起動処理と、（ニ）前記した起動タイミング設定処理で設定した起動タイミングを無効とする起動無効処理と、（ホ）この起動無効処理で無効にした起動タイミングを前記した記憶媒体から読み出して再設定する起動タイミング再設定処理とを実行させる。
【発明の効果】
【００１８】
以上説明したように本発明では、起動タイミングを設定した後にこの起動タイミング記憶しておくことにし、この設定を無効にした後に起動タイミングを再設定するときに記憶内容を読み出して再設定できるようにした。これにより、起動タイミングが曜日等の各種条件で細かく設定されていた場合でも、前と同一の設定内容を間違いなく設定することができる。
【図面の簡単な説明】
【００１９】
【図１】本発明の時刻起動管理装置のクレーム対応図である。
【図２】本発明の特定時刻起動方法のクレーム対応図である。
【図３】本発明の特定時刻起動プログラムのクレーム対応図である。
【図４】本発明の実施の形態による時刻起動管理装置の構成を表わしたブロック図である。
【図５】本実施の形態の時刻起動管理装置でアラームを起動する時刻および曜日の設定処理の様子を表わした流れ図である。
【図６】本実施の形態でアラーム時刻管理部の行うアラーム起動処理の様子を表わした流れ図である。
【図７】本実施の形態でアラーム時刻管理部の行うアラーム復帰設定処理の様子を表わした流れ図である。
【図８】本実施の形態でアラーム復帰設定処理が行われた後にアラーム時刻管理部の行うアラーム設定復帰処理の様子を表わした流れ図である。
【図９】本実施の形態でアラームを手動で復帰させたりする場合に使用するアラームフラグの手動によるオン・オフ処理の様子を表わした流れ図である。
【図１０】本実施の形態で時刻起動管理装置が実際に使用される例を表わした流れ図である。
【発明を実施するための形態】
【００２０】
図１は、本発明の時刻起動管理装置のクレーム対応図を示したものである。本発明の時刻起動管理装置１０は、起動タイミング設定手段１１と、起動タイミング記憶手段１２と、装置起動手段１３と、起動無効手段１４と、起動タイミング再設定手段１５を備えている。ここで、起動タイミング設定手段１１は、特定の装置を起動させる起動タイミングを設定する。起動タイミング記憶手段１２は、起動タイミング設定手段１１で設定した起動タイミングを記憶する。装置起動手段１３は、起動タイミング設定手段１１で設定した起動タイミングが到来したとき前記した特定の装置を起動させる。起動無効手段１４は、起動タイミング設定手段１１で設定した起動タイミングを無効とする。起動タイミング再設定手段１５は、起動無効手段１４で無効にした起動タイミングを起動タイミング記憶手段１２から読み出して再設定する。
【００２１】
図２は、本発明の特定時刻起動方法のクレーム対応図を示したものである。本発明の特定時刻起動方法２０は、起動タイミング設定ステップ２１と、起動タイミング記憶ステップ２２と、装置起動ステップ２３と、起動無効ステップ２４と、起動タイミング再設定ステップ２５を備えている。ここで、起動タイミング設定ステップ２１では、特定の装置を起動させる起動タイミングを設定する。起動タイミング記憶ステップ２２では、起動タイミング設定ステップ２１で設定した起動タイミングを所定の記憶媒体に記憶する。装置起動ステップ２３では、起動タイミング設定ステップ２１で設定した起動タイミングが到来したとき前記した特定の装置を起動させる。起動無効ステップ２４では、起動タイミング設定ステップ２１で設定した起動タイミングを無効とする。起動タイミング再設定ステップ２５では、起動無効ステップ２４で無効にした起動タイミングを前記記憶媒体から読み出して再設定する。
【００２２】
図３は、本発明の特定時刻起動プログラムのクレーム対応図を示したものである。本発明の特定時刻起動プログラム３０は、コンピュータに、特定時刻起動プログラムとして、起動タイミング設定処理３１と、起動タイミング記憶処理３２と、装置起動処理３３と、起動無効処理３４と、起動タイミング再設定処理３５を実行させるようにしている。ここで、起動タイミング設定処理３１では、特定の装置を起動させる起動タイミングを設定する。起動タイミング記憶処理３２では、起動タイミング設定処理３１で設定した起動タイミングを所定の記憶媒体に記憶する。装置起動処理３３では、起動タイミング設定処理３１で設定した起動タイミングが到来したとき前記した特定の装置を起動させる。起動無効処理３４では、起動タイミング設定処理３１で設定した起動タイミングを無効とする。起動タイミング再設定処理３５では、起動無効処理３４で無効にした起動タイミングを前記記憶媒体から読み出して再設定する。
【００２３】
＜発明の実施の形態＞
【００２４】
次に本発明の実施の形態を説明する。
【００２５】
図４は、本発明の実施の形態による時刻起動管理装置の構成を表わしたものである。本実施の形態の時刻起動管理装置１００は、携帯電話機にアラーム時計機能を付属機能として組み込んだものである。
【００２６】
時刻起動管理装置１００は、ＣＰＵ（Central Processing Unit）１０１を搭載しており、バス１０２を介してＲＯＭ（Read Only Memory）１０３および作業用メモリ１０４と接続さている。このうちＲＯＭ１０３は、ＣＰＵ１０１が実行するための各種の制御プログラムやかな文字変換等に使用される辞書（図示せず）等の固定的なデータを格納したリード・オンリ・メモリである。作業用メモリ１０４は、ＲＡＭ（Random Access Memory）によって構成されており、ＣＰＵ１０１が制御プログラムを実行する上で一時的に必要とされるデータを格納するようになっている。
【００２７】
バス１０２には、ＣＰＵ１０１の制御によって各種機能を実現させるための各種の回路あるいは回路要素が接続されている。このうち、データ入力部１０６は、操作キー１０７および図示しない各種の入力デバイスを接続しており、ユーザの操作によるこれらの操作データの入力を受け付けるようになっている。
【００２８】
表示制御部１０８は、表示部１０９を接続し、その表示を制御する。表示部１０９は、図示しない装置本体の前面に配置されており、白黒あるいはカラーの液晶パネルあるいは有機ＥＬ（organic electroluminescence display）等のディスプレイで構成されている。この表示部１０９の表面にはタッチパネルが付属して、データ入力部１０６の入力デバイスの一部を構成してもよい。
【００２９】
アラーム設定保存用メモリ１１０には、時刻起動管理装置１００のユーザがアラームの起動する時刻を設定したときその時刻情報が保存される。復帰用アラーム設定保存用メモリ１１１には、現在のアラーム設定を保存する操作を行った場合のアラーム設定情報が保存される。アラーム設定復帰時刻保存用メモリ１１２には、復帰用アラーム設定保存用メモリ１１１に保存したアラーム設定をアラーム設定保存用メモリ１１０へ復帰させるための時刻情報が保存される。
【００３０】
アラーム時刻管理部１１３は、時計回路１１４を接続しており、現在の時刻情報を取得する。アラーム時刻管理部１１３は、現在の時刻情報とアラーム設定保存用メモリ１１０に保存されたアラーム時刻を比較して、両者が一致したときにアラームを起動する。アラーム時刻管理部１１３は、また、アラーム設定復帰時刻保存用メモリ１１２に保存された復帰時刻が到来するかを監視し、到来した時点でアラーム設定復帰動作を行う。スピーカ１１５は、アラーム起動時に鳴動する。アラームフラグ管理部１１６は、アラームのオン・オフのフラグを管理するメモリ領域である。ユーザは、データ入力部１０６からの操作により、アラームのオン（鳴動）とオフ（鳴動停止）を設定することができる。
【００３１】
携帯電話回路部１１７は、本実施の形態の時刻起動管理装置１００を携帯電話機として使用するために必要なその他の回路装置をまとめて示した部分である。ここには、通話用の回路の他にデジタルカメラ撮影装置、ワンセグチューナ等の回路装置が機種の仕様に応じて収容されている。
【００３２】
以上説明したデータ入力部１０６、表示制御部１０８、アラーム時刻管理部１１３、アラームフラグ管理部１１６の少なくとも一部は、ＣＰＵ１０１が制御プログラムを実行することによるソフトウェア的な機能部として実現可能である。携帯電話回路部１１７についても同様である。
【００３３】
図５は、本実施の形態の時刻起動管理装置でアラームを起動する時刻および曜日の設定処理の様子を表わしたものである。図４と共に説明する。
【００３４】
ユーザはアラームを起動する時刻および曜日の設定を行うとき、操作キー１０７を操作して、時刻起動管理装置１００をアラーム起動条件設定モードを選択する（ステップＳ２０１：Ｙ）。ユーザがアラーム起動条件設定モード以外のモードを選択した場合には（ステップＳ２０１：Ｎ、ステップＳ２０２：Ｙ）、ＣＰＵ１０１は該当する他のモードを実行する。
【００３５】
アラーム起動条件設定モードが選択された場合には（ステップＳ２０１：Ｙ）、表示部１０９にアラームを起動させる時刻の入力を促す表示が行われる（ステップＳ２０３）。この状態で、ユーザは操作キー１０７を操作して、「７時３０分」等のアラームを起動させる時刻を入力する。入力が完了したらユーザは操作キー１０７における「設定」キーを押下する（ステップＳ２０４：Ｙ）。表示部１０９にタッチパネルが付属しているような場合には、表示された「設定」ボタンを押下してもよい。
【００３６】
以上のようにしてアラームを起動させる時刻の入力処理が終了したら（ステップＳ２０４：Ｙ）、その入力した時刻を１週間の特定の曜日に適用させる設定を行うことの要否を問う個別曜日適用可否の表示が表示部１０９に行われる（ステップＳ２０５）。１週間の特定の曜日だけアラームを起動するか、曜日に関係なくアラームを起動するかの設定である。
【００３７】
ユーザが１週間の特定の曜日だけアラームを起動することを選択した場合には（ステップＳ２０６：Ｙ）、１週間におけるアラームを起動させる曜日を入力する指示が表示部１０９に表示される（ステップＳ２０７）。操作キー１０７を用いて入力終了の操作が行われたら（ステップＳ２０８：Ｙ）、アラームの起動時刻とアラームの起動する曜日が表示部１０９に確認表示される（ステップＳ２０９）。
【００３８】
ユーザはこの表示内容を見て、アラームの起動時刻と曜日が正しければ、「保存」を行う操作キー１０７を選択する（ステップＳ２１０：Ｙ）。この場合には、アラームの起動時刻とアラームの起動する曜日がアラーム設定保存用メモリ１１０に保存されて（ステップＳ２１１）、アラームフラグがオンに設定され（ステップＳ２１２）、アラームの設定処理が終了する（エンド）。
【００３９】
これに対して、アラームの起動時刻と曜日のいずれかに変更が必要な場合、ユーザは「変更」を行う操作キー１０７を選択する（ステップＳ２１０：Ｎ、ステップＳ２１３：Ｙ）。この場合には、ステップＳ２０３に戻ってアラームの起動時刻の入力が再度行われる状態となる。
【００４０】
一方、ステップＳ２０５で個別曜日適用可否の表示が表示部１０９に行われたとき、曜日に関係なくアラームを一律に起動することを選択したとする（ステップＳ２０６：Ｎ、ステップＳ２１４：Ｙ）。この場合には、ステップＳ２０９に進んで、起動時刻のみの表示が行われる。ユーザは、保存操作を行って（ステップＳ２１０：Ｙ）、アラーム設定保存用メモリ１１０にその内容を保存して（ステップＳ２１１）、一連の処理を終了する（エンド）か、アラームの起動内容を変更することになる（ステップＳ２１０：Ｎ、ステップＳ２１３：Ｙ）。
【００４１】
図６は、アラーム時刻管理部の行うアラーム起動処理の様子を表わしたものである。図４と共に説明する。
【００４２】
アラーム時刻管理部１１３は、アラームフラグ管理部１１６のアラームの状態を示すフラグがオンになっているかをチェックする（ステップＳ２３１）。フラグがオンになっていればアラームが鳴動する状態である。フラグがオフになっていれば（ステップＳ２３１：Ｎ）、オンになるまで待機状態となる。
【００４３】
アラームの状態を示すフラグがオンになっている場合（ステップＳ２３１：Ｙ）、アラーム時刻管理部１１３は、アラーム設定保存用メモリ１１０からアラームの設定される曜日を読み出す（ステップＳ２３２）。図５のステップＳ２０７でアラームの起動する曜日が入力されていてこれが時計回路１１４の曜日と一致している場合、および曜日に関係なくアラームが起動するとされている場合には（Ｙ）、アラーム設定保存用メモリ１１０から起動時刻が読み出される（ステップＳ２３４）。これ以外の場合には（ステップＳ２３３：Ｎ）、アラームの起動が行われる曜日ではない。そこで、アラームの起動が行われる曜日以外の場合にはステップＳ２３１に処理が戻る（リターン）。
【００４４】
ステップＳ２３４でアラームの起動する時刻が読み出されたら、現在の時計回路１１４の時刻と一致するかの判別が行われる（ステップＳ２３５）。一致しない場合には（Ｎ）、再びステップＳ２３１の処理に戻る（リターン）。ただし、このとき、時刻の比較処理に不具合が生じない時間範囲で処理を待機した後にステップＳ２３１の処理に戻ることで、アラーム時刻管理部１１３の負担を軽減することができる。
【００４５】
ステップＳ２３５でアラームの起動する時刻が現在の時計回路１１４の時刻と一致したら（Ｙ）、アラームの起動が開始する（ステップＳ２３６）。アラームが音の鳴動によって行われるものであれば、スピーカ１１５から警告音が出力されることになる。もちろん、ユーザはアラーム音をメロディや音声として出力することもできる。
【００４６】
図７は、アラーム時刻管理部の行うアラーム復帰設定処理の様子を表わしたものである。アラーム復帰設定処理とは、一度設定したアラームの起動時刻に復帰する時点を設定する処理である。図４と共に説明する。
【００４７】
ユーザはアラーム復帰設定処理を行うとき、操作キー１０７を操作して、時刻起動管理装置１００をアラーム復帰設定処理モードを選択する（ステップＳ２５１：Ｙ）。ユーザがアラーム復帰設定処理モード以外のモードを選択した場合には（ステップＳ２５１：Ｎ、ステップＳ２５２：Ｙ）、ＣＰＵ１０１は該当する他のモードを実行する。
【００４８】
アラーム復帰設定処理モードが選択された場合には（ステップＳ２５１：Ｙ）、表示部１０９にアラームの設定を復帰させる日時の入力を促す表示が行われる（ステップＳ２５３）。この状態で、ユーザは操作キー１０７を操作して、「火曜２３時０分」等のアラームが復帰する日時あるいは曜日と時間を入力する。ただし、次の日から直ちにアラームを作動させるといった場合には、現在の時刻よりも後で次の日のアラームが作動する予定の時刻よりも前の時刻を入力すればよく、該当する日や曜日を省略可能である。
【００４９】
入力が完了したらユーザは操作キー１０７における「設定」キーを押下する（ステップＳ２５４：Ｙ）。表示部１０９にタッチパネルが付属しているような場合には、表示された「設定」ボタンを押下してもよい。
【００５０】
以上のようにしてアラームを復帰させる時刻の入力処理が終了したら（ステップＳ２５４：Ｙ）、確認のためにアラームの設定が復帰する日時の表示が表示部１０９に行われる（ステップＳ２５５）。この表示に代えて、あるいはこの表示と共に、次回のアラームが起動する日時あるいは曜日と時刻が表示部１０９に行われてもよい。
【００５１】
ユーザはこの表示内容を見て、アラームの設定が復帰する日時の表示等の表示内容が正しければ、「保存」を行う操作キー１０７を選択する（ステップＳ２５６：Ｙ）。この場合、アラーム時刻管理部１１３は、アラームの復帰する日時を復帰用アラーム設定保存用メモリ１１１に保存して（ステップＳ２５７）、アラームフラグ管理部１１６にアラームフラグをオフにさせる（ステップＳ２５８）。このようにしてアラーム設定復帰処理が終了する（エンド）。
【００５２】
これに対して、アラームの設定が復帰する日時あるいは曜日のいずれかに変更が必要な場合、ユーザは「変更」を行う操作キー１０７を選択する（ステップＳ２５６：Ｎ、ステップＳ２５９：Ｙ）。この場合には、ステップＳ２５３に戻ってアラームの設定を復帰させる日時の入力が再度行われる状態となる。
【００５３】
図８は、アラーム復帰設定処理が行われた後にアラーム時刻管理部の行うアラーム設定復帰処理の様子を表わしたものである。図４と共に説明する。
【００５４】
アラーム時刻管理部１１３は、１分以内の所定の周期で復帰用アラーム設定保存用メモリ１１１にアラームを復帰させるための復帰用の日時に関するデータが格納されているかをチェックする（ステップＳ２７１）。格納されていなければ（Ｎ）、次にチェックするタイミングまで処理を終了する（エンド）。
【００５５】
復帰用アラーム設定保存用メモリ１１１にアラームを復帰させるための復帰用の日時に関するデータが格納されていた場合には（ステップＳ２７１：Ｙ）、そのアラームを復帰させる日時を読み出して作業用メモリ１０４に格納する（ステップＳ２７２）。そして、時計回路１１４から現在の日時を読み出す（ステップＳ２７３）。
【００５６】
アラーム時刻管理部１１３は、この読み出した現在の日時を作業用メモリ１０４に格納したアラームを復帰させる日時と比較する（ステップＳ２７４）。両者が一致しなかった場合には（Ｎ）、次にチェックするタイミングまで処理を終了する（エンド）。
【００５７】
このようにしてステップＳ２７１からの処理が所定回行われると、現在の日時とアラームを復帰させる日時が一致するようになる（ステップＳ２４７：Ｙ）。このタイミングでアラーム時刻管理部１１３はアラームフラグ管理部１１６のアラームフラグをオンにする（ステップＳ２７５）。これで、図６のステップＳ２３１で示したアラームの起動処理が開始する条件が整うことになる。したがって、図６のステップＳ２３５でアラームの起動する時刻が現在の時計回路１１４の時刻と一致した時点でアラームの起動が行われることになる（図６ステップＳ２３６参照）。
【００５８】
図９は、アラームを手動で復帰させる場合に使用するアラームフラグの手動によるオン・オフ処理の様子を表わしたものである。図４と共に説明する。
【００５９】
ユーザはアラームフラグの手動によるオン・オフ処理を行うとき、操作キー１０７を操作して、フラグオン・オフモードを選択する（ステップＳ２９１：Ｙ）。ユーザがフラグオン・オフモード以外のモードを選択した場合には（ステップＳ２９１：Ｎ、ステップＳ２９２：Ｙ）、ＣＰＵ１０１は該当する他のモードを実行する。
【００６０】
フラグオン・オフモードが選択された場合には（ステップＳ２９１：Ｙ）、アラームフラグ管理部１１６が現在のアラームフラグのオン・オフ状態を読み出して表示部１０９に表示する（ステップＳ２９３）。この状態で、アラームフラグ管理部１１６は、アラームフラグのオン・オフの切替入力（ステップＳ２９４）と、フラグオン・オフモード自体の終了（ステップＳ２９５）を監視している。
【００６１】
ユーザが操作キー１０７を操作してアラームフラグのオン・オフの切替入力を行うと（ステップＳ２９４：Ｙ）、アラームフラグのオン・オフの切り替えが実行される（ステップＳ２９６）。そして、切り替え後のアラームフラグの状態が表示部１０９に表示されることになる（ステップＳ２９３）。ユーザが終了処理を選択した時点で（ステップＳ２９４：Ｎ、ステップＳ２９５：Ｙ）、アラームフラグの手動によるオン・オフ処理が終了する（エンド）。
【００６２】
したがって、ユーザは図５でアラームの起動する日時を設定した後に、図９のステップＳ２９６でアラームフラグをオフにすることでアラームを起動させないようにすることができる。また、このアラームが起動しない状態となった段階で図７に示したアラーム復帰設定処理を行い、設定した時刻に図８に示すアラーム設定復帰処理を実行させることで、自動的にアラームを復活させることができる。
【００６３】
もちろん、ユーザは図８に示すアラーム設定復帰処理を待たずに、図９に示す手動によるアラーム設定復帰処理を実行することができる。ただし、現在よりも数日後にアラームの起動を復帰させる場合には、図８に示すアラーム設定復帰処理を行うしかない。
【００６４】
なお、図９に示した手動によるアラームフラグのオン・オフ処理によって、ユーザは鳴動中のスピーカ１１５の警告音の出力を停止することができるが、この処理にはある程度の時間が必要とされる。そこで、アラームの出力を停止する操作を迅速に行う必要がある場合には、時刻起動管理装置１００の操作キー１０７に専用の「アラーム停止キー」を割り当てておけばよい。
【００６５】
図１０は、本実施の形態の時刻起動管理装置が実際に使用される例を表わしたものである。図４〜図９と共に説明する。
【００６６】
ユーザが図５に示す処理で時刻起動管理装置１００に対してアラームの起動する時刻および曜日の入力を行い、表示部１０９にアラーム設定の表示をさせたとする（図１０ステップＳ３０１）。アラーム設定の内容は、月曜日から金曜日まで毎朝「７：００」であったとする。ユーザは操作キー１０７を操作して、このアラーム設定の内容をアラーム設定保存用メモリ１１０に保存する（ステップＳ３０２）。以上の操作をユーザは月曜日の午後に行ったとする。これにより、図５のステップＳ２１２で示したようにアラームフラグがオンになる。
【００６７】
この状態でユーザが夜に就寝すると、翌朝の火曜日の７時に時刻起動管理装置１００のアラームが起動する（ステップＳ３０３）。この起動処理は図６で説明した。
【００６８】
ユーザは水曜日に休暇をとって会社を休み、水曜日の午後からショッピングに行く予定を立てていたとする。この場合、ユーザは火曜日の適当な時間に図７に示すアラーム復帰設定処理を行う（ステップＳ３０４）。これにより、アラームフラグがオフとなり、すべての曜日でアラームの起動する時刻がデータなしの状態となる（ステップＳ３０５）。これに関しては、手動で、図９に示すアラームフラグをオフにする処理と結果的には同じとなる。
【００６９】
ただし、図７に示すアラーム復帰設定処理を行った場合には復帰の設定を行った日時にアラーム設定保存用メモリ１１０に保存した内容がアラームの設定内容として復活することになる。たとえば、ユーザがアラームが起動する予定の７時を経過した水曜日の朝８時をアラーム復帰の日時として設定したとする（ステップＳ３０６）。
【００７０】
この場合、水曜日の朝７時の時点ではアラームフラグがオフの状態となっている。このため、図６に示すアラーム起動処理でアラームがオンであるという条件を満たさない（ステップＳ２３１：Ｎ）。このため、水曜日の朝７時にアラームが起動しない（ステップＳ３０７）。１時間後の水曜日の朝８時になると、自動的にアラームの設定が復帰する（ステップＳ３０８）。すなわち、アラームフラグがオンになることでアラーム設定保存用メモリ１１０に保存しておいたアラームの設定内容が有効になる（ステップＳ３０９）。
【００７１】
この結果、木曜日の朝７時になると、時刻起動管理装置１００のアラームが起動する（ステップＳ３１０）。これ以後は、水曜日も含めて月曜日から金曜日まで朝７時にアラームが起動することになる。
【００７２】
以上説明したアラームフラグ管理部１１６によるアラームのオン・オフ管理は、アラーム設定保存用メモリ１１０に保存したアラーム時刻を作業用メモリ１０４に反映させるか否かの処理としてもよい。
【００７３】
以上、アラームの起動の自動復帰について説明したが、ユーザが同一の処理を手動で行うと次のようになる。まず、火曜日にアラームが起動した後から水曜日の朝７時よりも前の時点で、手動でアラームフラグをオフにする。次に、水曜日の朝７時を経過した時刻から木曜日の朝７時よりも前の時点で手動でアラームフラグをオンにする。これにより、アラーム設定保存用メモリ１１０に保存した内容で、これ以後、アラームの起動する時刻の管理が可能になる。
【００７４】
以上説明した本実施の形態によれば、たとえば土日にアラーム時計を機能させないとか、毎月の特定日は会社の定期会議の出席時刻を警告させるといったやや複雑なスケジュールを立てていたとき、その内容を保持したまま一部のキャンセルが可能になる。しかもアラームの起動するスケジュールの復帰する日時を設定することができるので、アラームを解除したまま復帰させるタイミングを忘れるといった危険を回避することができる。
【００７５】
また、時刻起動管理装置１００が携帯電話機のアラーム時計として機能する場合、従来ではアラームとしての音の出力を所定期間だけ避けるために携帯電話機自体の電源をオフにすることがあった。この場合には、電源がオフとなっている間、ユーザは電話の着信やメール受信を逃してしまうデメリットがあった。本実施の形態では、ユーザがアラームの開始タイミングを設定して一時的にアラーム機能を停止させることができる。この場合、携帯電話機自体の他の機能は停止しないので、電話の着信やメール受信を逃すという問題も生じない。
【００７６】
もちろん、従来の問題点は携帯電話機をマナーモードに切り替えておくことで、音によるアラーム機能を停止させることができる。しかしながら、この場合であっても、一般的なユーザはマナーモード中もバイブレーション機能を有効としている。したがって、アラームの設定時刻を迎えるとバイブレーション機能が動作してしまい、携帯電話機の電源をオフにしてしまったり、アラームを無効にし、それ以後はアラーム機能が再開しないという問題が発生することになった。本発明は、このような問題を簡単に解決することができる。
【００７７】
以上、本発明をアラーム時計の機能を有する時刻起動管理装置について説明した。本発明の用途はこれに限るものではない。たとえば、携帯電話機のワンセグの予約録画機能に本発明を適用することができる。たとえば毎週夜９時に予約している番組がたまたま一週間だけ番組放映がなかった場合、一時的に予約録画設定を解除する必要がある。この場合に予約録画を一度取り消して、そのまま忘れてしまうと、従来では翌週以降の予約録画が起動しないことになる。本発明を用いて予約録画が復帰する設定を行っておけば、このような失敗が発生することがなくなる。
【符号の説明】
【００７８】
１０、１００  時刻起動管理装置
１１  起動タイミング設定手段
１２  起動タイミング記憶手段
１３  装置起動手段
１４  起動無効手段
１５  起動タイミング再設定手段
２０  特定時刻起動方法
２１  起動タイミング設定ステップ
２２  起動タイミング記憶ステップ
２３  装置起動ステップ
２４  起動無効ステップ
２５  起動タイミング再設定ステップ
３０  特定時刻起動プログラム
３１  起動タイミング設定処理
３２  起動タイミング記憶処理
３３  装置起動処理
３４  起動無効処理
３５  起動タイミング再設定処理
１０１  ＣＰＵ
１０３  ＲＯＭ
１０４  作業用メモリ
１０６  データ入力部
１０７  操作キー
１０９  表示部
１１０  アラーム設定保存用メモリ
１１１  復帰用アラーム設定保存用メモリ
１１２  アラーム設定復帰時刻保存用メモリ
１１３  アラーム時刻管理部
１１４  時計回路
１１５  スピーカ
１１６  アラームフラグ管理部
【図１】
2011122925.tif 000003
【図２】
2011122925.tif 000004
【図３】
2011122925.tif 000005
【図４】
2011122925.tif 000006
【図５】
2011122925.tif 000007
【図６】
2011122925.tif 000008
【図７】
2011122925.tif 000009
【図８】
2011122925.tif 000010
【図９】
2011122925.tif 000011
【図１０】
2011122925.tif 000012